(57)【要約】【課題】内容物の分量にあわせ、容積サイズを調整することができる食品容器を提供する。【解決手段】第１の切り欠き部８を有する第１の仕切り４と、第１の切り欠き部８に挿入可能な第２の仕切り６と、第１の仕切り４と第２の仕切り６を収容する容器本体２を備えた食品容器１であって、第１の仕切り４の第１の切り欠き部８に、第２の仕切り６が直交し、第１の仕切り４が第２の仕切り６に沿って第２の仕切り６の両端間を移動可能とすることにより、容器本体２の内部を第１〜第４区画15,16,17,18に４分割でき、しかも第１の仕切り４を移動させることによって２容積毎に自由に容積を調整することができるので、ごはんやおかず等の内容物の分量にあわせ、各容積サイズを調整することができる。【選択図】図１
2011201580.tif 000002
【特許請求の範囲】
【請求項１】
任意の場所に1箇所以上の切り欠き部を有する第１の仕切りと、前記切り欠き部に挿入可能な第２の仕切りと、前記第１の仕切りと前記第２の仕切りを収容する容器本体を備えた食品容器であって、前記第１の仕切りの前記切り欠き部に、前記第２の仕切りが直交し、前記第１の仕切りを前記第２の仕切りに沿って第２の仕切りの両端間を移動可能とすることを特徴とする食品容器。
【請求項２】
第１の仕切りと第２の仕切りの両端が、前記容器本体の内側壁に当接することを特徴とする請求項１記載の食品容器。
【請求項３】
前記第２の仕切りに前記第１の仕切りが挿入可能な切り欠き部を有し、前記第２の仕切りを前記第１の仕切りに沿って移動可能とすることを特徴とする請求項１及び２に記載の食品容器。
【請求項４】
前記第１の仕切りあるいは前記第２の仕切りを複数とすることを特徴とする請求項１〜３のいずれか１項に記載の食品容器。
【発明の詳細な説明】
【技術分野】
【０００１】
本発明は、容器内を分割する仕切りを持つ食品容器に関するものである。
【背景技術】
【０００２】
従来、弁当箱などの食品容器は、容器内を分割する仕切りを持つが、従来は相対する容器側壁に沿って移動し、容器内を２分割するものが殆どである（例えば、特許文献１）。
【先行技術文献】
【特許文献】
【０００３】
【特許文献１】特開２００８−１０００２４号公報
【発明の開示】
【発明が解決しようとする課題】
【０００４】
従来の食品容器では、２分割では分割数が少なく、市販品の小分けパックやアルミホイルなどを使用し、分割スペースをつくり、内容物を分け入れることになる。それらは使い捨てのものが殆どであり、また容器内で固定されないため、弁当等で携帯した場合は容器内で偏りが発生し、他の内容物と混合してしまうことがある。
【０００５】
そこで、本願発明は上記した問題点に鑑み、内容物の分量にあわせ、容積サイズを調整することができる食品容器を提供することを目的とする。
【０００６】
また、容器内での内容物の偏りを防ぐ食品容器を提供することを目的とする。
【課題を解決するための手段】
【０００７】
請求項１の発明の食品容器では、任意の場所に1箇所以上の切り欠き部を有する第１の仕切りと、前記切り欠き部に挿入可能な第２の仕切りと、前記第１の仕切りと前記第２の仕切りを収容する容器本体を備えた食品容器であって、前記第１の仕切りの前記切り欠き部に、前記第２の仕切りが直交し、前記第１の仕切りを前記第２の仕切りに沿って第２の仕切りの両端間を移動可能とすることを特徴とする。
【０００８】
請求項２の発明の食品容器では、第１の仕切りと第２の仕切りの両端が、前記容器本体の内側壁に当接することを特徴とする。
【０００９】
請求項３の発明の食品容器では、前記第２の仕切りに前記第１の仕切りが挿入可能な切り欠き部を有し、前記第２の仕切りを前記第１の仕切りに沿って移動可能とすることを特徴とする。
【００１０】
請求項４の発明の食品容器では、前記第１の仕切りあるいは前記第２の仕切りを複数とすることを特徴とする。
【発明の効果】
【００１１】
本発明の請求項１記載の発明によれば、容器内を４分割でき、しかも仕切られた２容積毎に自由に容積を調整することができるので、内容物の分量にあわせ、容積サイズを調整することができ、市販品の小分けパック等を使用しなくてもよい。
【００１２】
本発明の請求項２記載の発明によれば、仕切りは容器本体の内側壁に接触させた場合、内側壁と固定する事ができ、本発明の食品容器を弁当箱として使用する場合、携帯時に動いて内容物が偏ったりすることはない。
【００１３】
本発明の請求項３記載の発明によれば、容器内の容積サイズをさらに自由に調整することができる。
【００１４】
本発明の請求項４記載の発明によれば、第１の、第２の仕切りを追加することで容器内をさらに複数に分割し、それぞれを移動し区切られた分割容積を自由に調整できる。
【図面の簡単な説明】
【００１５】
【図１】本発明の実施例１に係る食品容器の斜視図である。
【図２】同上、食品容器の平面図である。
【図３】同上、図２におけるＡ−Ａ断面図である。
【図４】同上、図２におけるＢ−Ｂ断面図である。
【図５】本発明の実施例２に係る食品容器の斜視図である。
【図６】同上、食品容器の平面図である。
【図７】同上、図６におけるＡ−Ａ断面図である。
【図８】同上、図６におけるＢ−Ｂ断面図である。
【図９】本発明の実施例３に係る食品容器の斜視図である。
【図１０】同上、食品容器の平面図である。
【図１１】本発明の実施例４に係る食品容器の斜視図である。
【図１２】同上、食品容器の平面図である。
【発明を実施するための最良の形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
図１〜図４は実施例１を示しており、同図に示すように食品容器１は、平面視矩形状に形成された有底角筒型の容器本体２と、容器本体２の内側壁の短辺３と略同一の長さを有する第１の仕切り４と、容器本体２の内側壁の長辺５と略同一の長さを有し、第１の仕切り４と直交する第２の仕切り６とを有している。
【００１８】
第１の仕切り４の本体７（以下、第１の本体７と呼称する）には、第１の本体７の水平方向の両端間の任意の場所、例えば図中に示す第１の本体７の中央部分に、第１の本体７上端から垂直下向きに切り欠いて形成された第１の切り欠き部８を備えている。
【００１９】
この第１の切り欠き部８は、その切り欠き高さＨ１（以下、第１の切り欠き高さＨ１と呼称する）を第２の仕切り６の本体９（以下、第２の本体９と呼称する）の高さ寸法Ｌ２とほぼ同一とし、またその切り欠き幅Ｗ１（以下、第１の切り欠き幅Ｗ１と呼称する）を第２の本体９の板厚Ｄ２とほぼ同一かそれ以上に形成されたものである。
【００２０】
第１の仕切り４の左右両端には、第１の本体７と略直交して一体に形成され、第１の本体７とともに平面視略Ｔ型を形成する第１の当接部10をそれぞれ備えている。
【００２１】
同様に、第２の仕切り６の左右両端にも、第２の本体９と略直行して一体に形成され、第２の本体９とともに平面視略Ｔ型を形成する第２の当接部11をそれぞれ備えている。
【００２２】
また、第１の仕切り４下部のほぼ全体には、第１の本体７と略直交して一体に形成され、第１の本体７とともに断面略Ｔ型を形成する第１の支持部12を備えている。
【００２３】
同様に、第２の仕切り６下部の両端には、第２の本体９と略直交して一体に形成され、第２の本体９とともに断面略Ｔ型を形成する第２の支持部13を備えている。
【００２４】
上記第１の仕切り４と第２の仕切り６は、第１の切り欠き部８に第２の本体９を挿入して、第１の仕切り４と第２の仕切り６を直交させて平面視略格子状の仕切り体14を構成している。
【００２５】
前記仕切り体14は、第１の仕切り４が第２の仕切り６の第２の本体９に沿って第２の本体９の両端間を水平方向に移動可能としている。
【００２６】
以上の構成の食品容器１の使用方法について説明する。容器本体２内部に仕切り体１４が設置されると、容器内の容積は第１〜第４区画15,16,17,18に４分割される。
【００２７】
前述の第１〜第４区画15,16,17,18は、第１の仕切り４を介して第１及び第２区画15,16と、第３及び第４区画17,18とに２分割され、第２の仕切り６を介して第１及び第３区画15,17と、第２及び第４区画16,18とに２分割されたものとする。
【００２８】
また、第１の仕切り４を、第２の本体９に沿って第２の本体９の両端間を水平方向に移動させることにより、第１及び第２区画15,16の各容積を第３及び第４区画17,18の各容積に対して相対的に増減可能としており、ごはんやおかず等の内容物の分量にあわせて、各第１〜第４区画15,16,17,18の容積サイズを２容積毎に自由に調整して使用する。
【００２９】
仕切り体14は、第１の仕切り４に備えた第１の当接部10と第２の仕切り６に備えた第２の当接部11により、容器本体２の内側壁３,５と略面接触状態で接触しており、仕切り体14は容器本体２の内側壁３,５に固定される。
【００３０】
また、仕切り体14の下部は、第１の仕切り４に備えた第１の支持部12と第２の仕切り６に備えた第２の支持部13により、容器本体２の内底壁19と略面接触状態で接触しており、それによって仕切り体14の第１の仕切り４及び第２の仕切り６は容器本体２の内底壁19に起立状態で固定される。
【００３１】
以上のように本実施例は請求項１に対応しており、第１の本体７に第１の切り欠き部８を有する第１の仕切り４と、第１の切り欠き部８の切り欠き高さＨ１とほぼ同一の高さＬ２と切り欠き幅Ｗ１とほぼ同一の板厚Ｄ２を有し第１の切り欠き部８に挿入可能な第２の仕切り６と、第１の仕切り４と第２の仕切り６を収容する容器本体２を備えた食品容器１であって、第１の仕切り４の第１の切り欠き部８に、第２の仕切り６が直交し、第１の仕切り４が第２の仕切り６に沿って第２の仕切り６の両端間を移動可能とすることにより、容器本体２の内部を第１〜第４区画15,16,17,18に４分割でき、しかも第１の仕切り４を移動させることによって第１区画１５と第２区画１６、そして第３区画17と第４区画18の２容積毎に自由に容積を調整することができるので、ごはんやおかず等の内容物の分量にあわせ、第１〜第４区画15,16,17,18の各容積サイズを調整することができ、市販品の小分けパック等を使用しなくてもよい。
【００３２】
また、本実施例は請求項２に対応しており、第１の仕切り４と第２の仕切り６の両端が、第１の当接部10と第２の当接部11を介して容器本体２の内側壁３,５に当接することにより、第１及び第２の仕切り４,６は容器本体２の内側壁３,５に接触させた場合、内側壁３,５と固定する事ができ、本発明の食品容器１を弁当箱として使用する場合、携帯時に仕切り体14が動いて内容物が偏ったりすることはない。
【実施例２】
【００３３】
図５〜図８は、実施例２を示しており、前記実施例１と同一部分には同一符号を付し、その詳細な説明を省略する。実施例２では、第２の仕切り６に第２の切り欠き部20を設けている。第２の切り欠き部20は、第２の本体９の水平方向の両端間の任意の場所、例えば図中に示す第２の本体９の中央部分に、第２の本体９下端から垂直上向きに切り欠いて形成されたものである。
【００３４】
この第２の切り欠き部20は、その切り欠き高さＨ２（以下、第２の切り欠き高さＨ２と呼称する）を第１の本体７の高さ寸法Ｌ１とほぼ同一とし、またその切り欠き幅Ｗ２（以下、第２の切り欠き幅Ｗ２と呼称する）を第１の本体７の板厚Ｄ１とほぼ同一かそれ以上に形成されたものである。
【００３５】
本実施例の格子体14は、第２の切り欠き部20に第１の本体７を挿入して、第１の仕切り４と第２の仕切り６を直交させて平面視略格子状を構成し、第２の仕切り６が第１の仕切り４の第１の本体７に沿って第１の本体７の両端間を水平方向に移動可能としたものである。
【００３６】
上記の構成により本実施例では、第２の仕切り６を、第１の本体７に沿って第１の本体７の両端間を水平方向に移動させることにより、第１及び第３区画15,17の各容積を第２及び第４区画16,18の各容積に対して相対的に増減可能としており、前述の第１の仕切り４の移動と合わせて、ごはんやおかず等の内容物の分量にあわせて、各第１〜第４区画15,16,17,18の容積サイズを自由に調整して使用する。
【００３７】
以上のように本実施例では請求項３に対応しており、第２の仕切り６に第１の仕切り４の板厚Ｄ１とほぼ同一の第２の切り欠き幅Ｗ２を有する第１の仕切り４が挿入可能な第２の切り欠き部20を有し、第２の仕切り６を第１の仕切り４に沿って移動可能とすることにより、容器本体２内の各第１〜第４区画15,16,17,18の容積サイズをさらに自由に調整することができる。
【実施例３】
【００３８】
図９〜図１０は、実施例３を示しており、前記実施例１及び実施例２と同一部分には同一符号を付し、その詳細な説明を省略する。実施例３の格子体14は、第１の仕切り４を二つ備え、各第１の切り欠き部８,８に第２の本体９を挿入して、各第１の仕切り４,４と第２の仕切り６を直交させて平面視略格子状を構成し、各第１の仕切り４,４を第２の本体９に沿って第２の本体９の両端間を水平方向に移動可能としたものである。
【００３９】
上記の構成により本実施例では、容器本体２内部に、仕切り体14が設置されると、容器内の容積は第１〜第６区画21,22,23,24,25,26に６分割される。
【００４０】
前述の第１〜第６区画は、２つの第１の仕切り４,４を介して、第１及第２区画21,22と、第３及び第４区画23,24と、そして、第５及び第６区画25,26とに３分割され、さらに第２の仕切り６を介して、第１、第３、第５区画21,23,25と、第２、第４、第６区画22,24,26とに２分割されたものとする。
【００４１】
また、各第１の仕切り４,４を、第２の本体９に沿って第２の本体９の両端間を水平方向に移動させることにより、第１及び第２区画21,22の各容積と、第３及び第４区画23,24の各容積と、第５及び第６区画25,26の各容積を相対的に増減可能としており、ごはんやおかず等の内容物の分量にあわせて、各第１〜第６区画21,22,23,24,25,26の容積サイズを自由に調整して使用する。
【００４２】
以上のように本実施例では請求項４に対応しており、第１の仕切り４を複数にすることにより、第１の仕切り４を追加することで容器本体２内をさらに複数に分割し、第１の仕切り４を移動し第１〜第６区画21,22,23,24,25,26に区切られた分割容積をさらに自由に調整できる。
【実施例４】
【００４３】
図１１〜図１２は、実施例４を示しており、前記実施例１〜３と同一部分には同一符号を付し、その詳細な説明を省略する。実施例４では、複数の第２の仕切り６,６に、それぞれ第２の本体９の水平方向の両端間に所定の間隔を有して第２の切り欠き部20を複数備えている。
【００４４】
そのため、本実施例の格子体14は、複数の第２の仕切り６,６の複数第２の切り欠き部20,20に複数の第１の仕切り４,４の第１の本体７,７をそれぞれ挿入して、第１の仕切り４,４と第２の仕切り６,６を直交させて平面視略格子状を構成し、各第２の仕切り６,６を第１の本体７,７に沿って第１の本体７,７の両端間を水平方向に移動可能としたものである。
【００４５】
上記の構成により本実施例では、容器本体２内部に、仕切り体14が設置されると、容器本体２内の容積は第１〜第９区画33,34,35,36,37,38,39,40,41に９分割される。
【００４６】
前述の第１〜第９区画33,34,35,36,37,38,39,40,41は、２つの第１の仕切り４,４を介して第１〜第３区画33,34,35と、第４〜第６区画36,37,38と、そして、第７〜第９区画39,40,41とに３分割され、さらに２つの第２の仕切り６,６を介して第１、第４、第７区画33,36,39と、第２、第５、第８区画34,37,40と、第３、第６、第９区画35,38,41とに３分割されたものとする。
【００４７】
また、各第２の仕切り６,６を、各第１の本体７,７に沿って各第１の本体７,７の両端間を水平方向に移動させることにより、第１、第４、第７区画33,36,39の各容積と、第２、第５、第８区画34,37,40の各容積と、第３、第６、第９区画35,38,41の各容積とを相対的に増減可能としており、ごはんやおかず等の内容物の分量にあわせて、各第１〜第９区画33,34,35,36,37,38,39,40,41の容積サイズを自由に調整して使用する。
【００４８】
以上のように本実施例では請求項４に対応しており、第１の仕切り４と第２の仕切り６をそれぞれ２つにすることにより、第１の仕切り４、第２の仕切り６を追加することで容器本体２内をさらに複数に分割し、第１の仕切り４,４及び第２の仕切り６,６を移動し第１〜第９区画33,34,35,36,37,38,39,40,41に区切られた分割容積をさらに自由に調整できる。
【００４９】
本発明は、各実施例に限定されるものではなく、本発明の要旨の範囲内で種々の変形実施が可能である。例えば、第１の切り欠け部及び第２の切り欠け部の位置や数、各当接部や各支持部の形状についても適宜変更可能である。また、第１の仕切り及び第２の仕切りの数は３つ以上の複数としても構わないものとする。
【産業上の利用可能性】
【００５０】
以上のように本発明に係る食品容器は、弁当箱に限らず、各種の収納容器の用途に適用できる。
【符号の説明】
【００５１】
１  食品容器
２  容器本体
３,５  内側壁
４  第１の仕切り
６  第２の仕切り
８  第１の切り欠き部
20  第２の切り欠き部
【図１】
2011201580.tif 000003
【図２】
2011201580.tif 000004
【図３】
2011201580.tif 000005
【図４】
2011201580.tif 000006
【図５】
2011201580.tif 000007
【図６】
2011201580.tif 000008
【図７】
2011201580.tif 000009
【図８】
2011201580.tif 000010
【図９】
2011201580.tif 000011
【図１０】
2011201580.tif 000012
【図１１】
2011201580.tif 000013
【図１２】
2011201580.tif 000014